(57)【要約】【課題】  遠方からでも側面からでも容易に乗り口と降り口を認識できるようにしたマンコンベアを得る。【解決手段】  乗客を乗せる踏み段２０と、この踏み段の側部に踏み段の運行方向にそって設けられた欄干２１と、欄干のベルト受けデッキ２２に設けられ前記踏み段の運行とともに移動する着色された無端の手すりベルト３０とを具備し、手すりベルト３０に、この手すりベルト本体よりも明度の大きい色の識別マーク部３１が間隔を置いて形成されている。【選択図】  図１
2005067837.tif 000002
【特許請求の範囲】
【請求項１】
乗客を乗せる踏み段と、この踏み段の側部に踏み段の運行方向にそって設けられた手すりと、前記手すりに設けられ前記踏み段の運行に同期して移動する着色された無端の手すりベルト本体とを具備し、前記手すりベルト本体に、この手すりベルト本体と明度の異なる色の識別マーク部が間隔を置いて形成されていることを特徴とするマンコンベア。
【請求項２】
乗客を乗せる踏み段と、この踏み段の側部に踏み段の運行方向にそって設けられた手すりと、前記手すりに設けられ前記踏み段の運行に同期して移動する着色された無端の手すりベルト本体とを具備し、前記手すりベルト本体に、この手すりベルト本体よりも明度の大きい色の識別マーク部が間隔を置いて形成されていることを特徴とするマンコンベア。
【請求項３】
前記手すりベルト本体は柔軟性材で形成され、前記識別マーク部は柔軟性材で形成されて前記手すりベルト本体に埋め込まれ前記手すり本体の表面とほぼ同一面に形成されていることを特徴とする請求項１または２記載のマンコンベア。
【請求項４】
前記識別マーク部は前記手すりベルト本体の側面に配置されていることを特徴とする請求項１または２記載のマンコンベア。
【請求項５】
前記識別マーク部は透光性を有し、内部に発光体が配置されていることを特徴とする請求項１または２記載のマンコンベア。
【請求項６】
前記発光体はマンコンベアの乗降口近傍でのみ発光することを特徴とする請求項５記載のマンコンベア。
【発明の詳細な説明】
【技術分野】
【０００１】
本発明はマンコンベアの特に手すりベルトに関するものである。
【背景技術】
【０００２】
マンコンベアは乗場の踏み台の先に次々に現出する踏み段を有し、乗客は固定された踏み台から移動する踏み段に飛び移ることによって運ばれる。飛び移り時にバランスを崩しやすく、踏み段の両側に踏み段の運行速度に同期して移動する手すりベルトを配置して、このベルトにつかまることにより乗客の利用の安全性を確保している。マンコンベアの課題は全ての人が安全に利用できることである。
【０００３】
駅の階段のように、既存の階段にコンベアを併設するような場合、マンコンベア一機で乗降を兼ねるものも増加し、利用時間帯に合わせてマンコンベアの運行を反転させることが多くなり乗り口と降り口を間違えたり、また反転させなくても、降り口を乗り口と間違えて飛び乗るということが考えられ、転倒する危険性がある。
【０００４】
このため、乗り口床付近に発光体を配置して乗り口の案内に供することが提案されている。（例えば特開平６−１００２８０号公報参照）
【特許文献１】特開平６−１００２８０号公報
【発明の開示】
【発明が解決しようとする課題】
【０００５】
しかしながら、床での発光は低いために視角から外れやすく、遠方や側面から見え難いという不都合が避けられず、また降り口にそのような案内はない。
【０００６】
本発明は上記不都合を解消するもので、遠方からでも側面からでも容易に乗り口と降り口を認識できるようにしたマンコンベアを得るものである。
【課題を解決するための手段】
【０００７】
本発明は、乗客を乗せる踏み段と、この踏み段の側部に踏み段の運行方向にそって設けられた手すりと、前記手すりに設けられ前記踏み段の運行に同期して移動する着色された無端の手すりベルト本体とを具備し、前記手すりベルト本体に、この手すりベルト本体よりも明度の異なる色の識別マーク部が間隔を置いて形成されていることを特徴とするマンコンベアにある。
【０００８】
識別マーク部の色は手すり本体の色よりも明度が高いことが好ましい。
【０００９】
前記手すりベルト本体は柔軟性材で形成され、前記識別マーク部は柔軟性材で形成されて前記手すりベルト本体に埋め込まれ前記手すり本体の表面とほぼ同一面に形成されていることが好ましい。
【００１０】
さらに、前記識別マーク部は前記手すりベルト本体の側面に配置されていることが好ましい。
【００１１】
さらに、前記識別マーク部は透光性を有し、内部に発光体を配置させることができる。
【００１２】
この発光体はマンコンベアの乗降口近傍でのみ発光することにより、乗降口の識別を明確にすることができる。
【発明の効果】
【００１３】
本発明は手すりベルトに同色または異色の明度の異なる識別マークを手すりベルトにそって形成することにより、手すりベルトの進行方向を視認してマンコンベアの運行方向を知ることが容易で、運行方向を変更してもなんらの支障のないマンコンベアを得ることができる。
【発明を実施するための最良の形態】
【００１４】
本発明の一実施形態を図１および図２により説明する。図１はマンコンベア側面であり、図２はのＡ−Ａ断面である。図において、マンコンベア１０の骨組となるトラス１１の上階側には、駆動源となる電動機１３が収納され、この電動機１２には、駆動伝達チェーン１４が設けられ駆動力がスプロケット１５に伝達される。スプロケット１５には、無端状の踏段チェーン１６の片側が巻かれている。踏段チェーン１６の他側は、トラス１１の下階側に設けられた従動スプロケット１７に巻かれ、踏段チェーン１６には、踏段２０の下端が連続して連結されている。
【００１５】
トラス１１の上方には、ガラスパネル欄干２１が設けられ、このガラスパネル欄干２１に支持されるようにベルト受けデッキ２２が固定されている。このベルト受けデッキ２２外周を例えばゴムの柔軟性材でできた無端状の手すりベルト３０が摺動する。
【００１６】
トラス１１の下階側の上面と上階側の上面には、乗降板２４、２３が載置されている。
【００１７】
欄干２１で支持されたベルト受けデッキ２２は図２に示すようにＵ字状に断面が形成され、ベルト受けデッキ２２の上部の左右鍔部２２ａ面には、摩擦係数が小さく耐摩耗性に優れた合成樹脂層２２ｂが被覆される。
【００１８】
手すりベルト３０は断面Ｃ字状をなしベルト受けデッキ２２の鍔部２２ａを取り巻くように嵌合し、摺動中に外れないようにしている。
【００１９】
この手すりベルト３０は、トラス１１の上側の斜行部に設けられたシーブとローラ（図示せず）の間に下側の斜行部が挟まれ、シーブの回転に従って、踏段２０と等速に駆動される。
【００２０】
手すりベルト３０の本体３０ａは暗色例えば黒色を呈し、その両側面にはベルト受けデッキ２２の鍔部２２ａに対向する外側に、識別マーク部としてベルトと同材料であることが好ましい柔軟性材でできた明色柔軟性部材３１が一体に埋め込まれている。明色柔軟性部材３１は本体３０ａよりも明度が高く例えば黄色に形成される。ここで明色柔軟性部材の明色とは手すりベルト本体の色よりも明度の高い色を意味する。
【００２１】
明色柔軟性部材３１は例えば径１５ｍｍの円形形状であり本体内に約３ｍｍ埋め込まれており、手すりベルト３０の無端にそって所定の間隔で複数個配置されており、ベルトの移動にともなってその移動状態が目視できるようにする。
【００２２】
マンコンベアの乗降口の手すりベルトの高さが、歩行者の視角のほどよい位置にあるため、前記目視によりマンコンベアの移動方向が容易に識別できるので、降り口を乗り口と間違えるなどの事故を防止することができる。
【００２３】
また、前記明色柔軟性部材３１は手すりベルト本体の両側に設けたが、外側など一方の側面に設けてもよく、さらに両側の手すりのみならず、一方の手すりに設けることができる。
【００２４】
図３および図４は第２の実施形態を示すもので、手すりベルト３０にＬＥＤの発光体３３を埋め込み、透光性柔軟性部材３４で塞いだ構造である。発光体３３にリード３３ａが接続され、ベルト本体３０ａを貫通してベルト受けデッキ２２側に電気的に引出され端子３３ｂを露出させる。なお図１および図２と同一符号の部分は同様部分を示す。
【００２５】
ベルト受けデッキ２２の鍔部２２ａに一対の摺動端子３５が配置され、その一方の端子は合成樹脂層２２ｂによりデッキ２２から電気的に絶縁されている。ベルト側の端子がこの部分と接触すると摺動端子３５に接続された電源３６から発光体３３に電流が流れて発光する。
【００２６】
摺動端子３５を図１に示す降り口１０ａと乗り口１０ｂ部分のベルト受けデッキ２２に取り付けておき、これらの位置でのみ発光体３３を発光させる。発光によりベルトの稼動、移動方向が容易に認識され、マンコンベアの乗り口、降り口を取り違えることが無くなる。発光体の発光色は赤、緑、青など任意に設定することができ、また透光性柔軟性部材３４は透明、半透明のいずれでもよく、また乳白色にすることにより散乱効果により視認性を高めることができる。
【００２７】
本実施形態では摺動端子を一対用いたが、一方の端子をアルミニウムや鋼材などの金属でできたベルト受けデッキ自体で兼用することができ、この場合、端子構造を容易にすることができる。
【００２８】
図５および図６に第３の実施形態を示す。本実施形態は手すりベルト３０の平坦な表面３０ｂに明色柔軟性部材３７を識別マーク部として所定間隔で埋め込み面一に一体化したものである。明度柔軟性部材３７は乗降口でベルト正面に位置し、しかもベルト本体に対して明度を高くすることにより手すりベルトの移動と同方向に移動するマークとして見やすく、利用者にマンコンベアの運転方向を視認性高く理解させることができる。マークとしての形状は丸、三角、ひし形、字体など任意の形状を使用することができ、マンコンベアの設置された建物などの環境に合わせて意匠性を高める模様にすることもできる。例えば花や木の模様、動物の模様などを使用することができる。
【００２９】
以上実施形態では、明度柔軟性部材を手すりベルト本体に埋め込み形成したが、本体に印刷により形成することができる。また、手すりベルトの本体の暗色に対する明度柔軟性部材の明色は相対的に明度が高いものであればよく、色も本体に黒、茶、赤、青、緑のほか、暗色になるものを用い、明度柔軟性部材に同色または異色の明度の高い色を用いることができる。ベルト本体が暗色であり、明度柔軟性部材の面積を少なくすることにより、ベルトの汚染に対する清掃作業を容易にする。
【００３０】
さらに、識別マーク部を手すりベルト本体よりもよりも暗色にすることにより、運転状態を視認させることもできる。
【図面の簡単な説明】
【００３１】
【図１】本発明の一実施形態のマンコンベアの側面図。
【図２】図１をＡ−Ａ線に沿って切断した断面図。
【図３】本発明の第２の実施形態を説明する部分的断面略図。
【図４】本発明の第２の実施形態の一部斜視図。
【図５】本発明の第３の実施形態を説明するマンコンベアの一部斜視図。
【図６】本発明の第３の実施形態の手すりベルトを説明する断面図。
【符号の説明】
【００３２】
１０：マンコンベア
１２：電動機
２０：踏み段
２１：ガラスパネル欄干
２２：ベルト受けデッキ
２２ａ：鍔部
３０：手すりベルト
３０ａ：手すりベルト本体
３１：明色柔軟性部材（識別マーク部）
３３：発光体
３４：透光性柔軟性部材
３７：明色柔軟性部材
【図１】
2005067837.tif 000003
【図２】
2005067837.tif 000004
【図３】
2005067837.tif 000005
【図４】
2005067837.tif 000006
【図５】
2005067837.tif 000007
【図６】
2005067837.tif 000008